(57)【特許請求の範囲】
【請求項１】
対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、
前記整流回路の出力信号の波形整形を行って前記平滑回路に供給する波形整形回路を含み、
前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、
前記波形整形回路は、前記整流回路の出力信号の論理レベルが変化したとき、一定周期のクロック信号の計数を開始するカウンターと、前記カウンターの計数値が基準値に到達したとき到達信号を出力する判定回路と、前記整流回路の出力信号の論理レベルが変化して前記カウンターが計数を開始したとき第１の論理レベルの信号を出力し、その後、前記整流回路の出力信号の論理レベルが元の論理レベルに戻るか、または前記判定回路が前記到達信号を出力したとき第２の論理レベルの信号を出力する出力制御回路とを含んで構成されており、
前記波形整形回路は、前記判定回路が到達信号を出力していない場合にクロック信号をカウンターへ供給し、前記判定回路が前記到達信号を出力した場合に前記クロック信号の前記カウンターへの供給を停止するクロック制御回路をさらに含んでいる、
ことを特徴とする電子交換機局線トランクの呼び出し信号検出回路。
【請求項２】
前記波形整形回路は、前記判定回路に前記基準値を供給する登録回路をさらに含んでいることを特徴とする請求項１記載の電子交換機局線トランクの呼び出し信号検出回路。
【請求項３】
対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、
前記整流回路の出力信号の波形整形を行って前記平滑回路に供給する波形整形回路を含み、
前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、
前記波形整形回路は、波形整形プログラムにもとづいて動作するマイクロコンピュータと、出力回路とを含んで構成され、波形整形プログラムは、前記整流回路の出力信号の論理レベルが変化した後一定時間が経過したか否かを判定する時間判定ステップと、前記整流回路の出力信号の論理レベルが変化したとき前記出力回路に前記第１の論理レベルの信号を出力させる第１の出力制御ステップと、前記整流回路の出力信号の論理レベルが変化した後、前記整流回路の出力信号の論理レベルが元の論理レベルに戻るか、または前記時間判定ステップで一定時間が経過したと判定したとき、前記出力回路に前記第２の論理レベルの信号を出力させる第２の出力制御ステップとを含む、
ことを特徴とする電子交換機局線トランクの呼び出し信号検出回路。
【請求項４】
対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、
前記整流回路の出力信号の波形整形を行って前記平滑回路に供給する波形整形回路を含み、
前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、
前記整流回路は、フォトダイオードおよびフォトトランジスタをそれぞれ含む第１および第２のフォトカプラーから成り、前記第１のフォトカプラーでは前記呼び出し信号が第１の極性のときフォトダイオードに電流が流れてフォトダイオードが発光しフォトトランジスタがオン状態となり、前記第２のフォトカプラーでは前記呼び出し信号が第１の極性と逆極性の第２の極性のときフォトダイオードに電流が流れてフォトダイオードが発光しフォトトランジスタがオン状態となり、前記整流回路は前記第１および第２のフォトカプラーのフォトトランジスタのオン・オフ状態にもとづいて前記整流回路の前記出力信号を生成し前記波形整形回路に出力する、
ことを特徴とする電子交換機局線トランクの呼び出し信号検出回路。
【請求項５】
前記波形整形回路は前記第１および第２のフォトカプラーごとに設けられ、各波形整形回路は、各フォトカプラーの前記フォトトランジスタのオン・オフ状態にもとづいて生成された前記出力信号をそれぞれ入力とすることを特徴とする請求項４記載の電子交換機局線トランクの呼び出し信号検出回路。
【発明の詳細な説明】
【０００１】
【発明の属する技術分野】
本発明は、電子交換機の局線トランクインターフェースに設ける呼び出し信号検出回路に関するものである。
【０００２】
【従来の技術】
従来より、たとえば蓄積プログラム方式の電子交換機の局線トランクインタフェースには、対向局から到来する呼び出し信号を検出するための呼び出し信号検出回路が設けられている。
図６はこの種の呼び出し信号検出回路の一例を示す回路図、図７は図６の呼び出し信号検出回路の動作を示すタイミングチャートである。
図６に示した従来の呼び出し信号検出回路１００は、コンデンサー１０２、抵抗１０４、ツェナーダイオード１０６、整流回路１０８、平滑回路１１０、制御回路１１２などを含んで構成されている。整流回路１０８は第１および第２の半波整流回路１１４、１１６から成り、第１および第２の半波整流回路１１４、１１６はそれぞれ第１および第２のフォトカプラー１１８、１２０を含んで構成されている。第１および第２のフォトカプラー１１８、１２０のフォトダイオード１２２は相互に逆極性で並列に接続されている。
【０００３】
コンデンサー１０２は呼び出し信号に含まれる直流成分を除去するために挿入されており、抵抗１０４とともにフォトダイオード１２２に直列に接続されている。２つのツェナーダイオード１０６は相互に逆極性で直列に接続され、そしてフォトダイオード１２２に直列に接続されている。ツェナーダイオード１０６がこのように接続されていることにより、正弦波状の呼び出し信号の振幅がおおむねツェナーダイオード１０６のツェナー電圧で決まる電圧を超えた場合にフォトダイオード１２２に電流が流れ、フォトダイオード１２２が発光して第１および第２のフォトカプラー１１８、１２０のフォトトランジスタ１２４がオン状態となる。
【０００４】
すなわち、図７に示したように、呼び出し信号１０１が正で、かつ振幅の絶対値がある程度大きい期間で第１のフォトカプラー１１８のフォトダイオード１２２が発光して同フォトカプラーのフォトトランジスタ１２４がオンし、その結果、第１の半波整流回路１１４の出力信号がハイレベルとなる。
【０００５】
一方、呼び出し信号が負で、かつ振幅の絶対値がある程度大きい期間で第２のフォトカプラー１２０のフォトダイオード１２２が発光して同フォトカプラーのフォトトランジスタ１２４がオンし、第２の半波整流回路１１６の出力信号がハイレベルとなる。
【０００６】
そして、第１および第２の半波整流回路１１４、１１６の出力端子は、図６に示したように、ワイヤードオア接続となっているため、平滑回路１１０の入力信号は、図７に示したように一種の全波整流波形となる。平滑回路１１０はこのような波形の入力信号を平滑化し、呼び出し信号の継続期間に相当する期間においてハイレベルとなる検出信号を出力する。制御回路１１２はこの検出信号をもとに呼び出し信号の断続パターンの識別などを行う。
【０００７】
【発明が解決しようとする課題】
ところで、局から送られてくる呼び出し信号は、図７に示したように、たとえばタイミングＴ１において送出が停止されても、実際の振幅は直ちには零とならず、ある期間ｔにわたり振幅が維持される場合がある。この現象は電圧残りとも呼ばれており、電圧残りにより呼び出し信号１０１の振幅が異常に長く維持されると、図７の例では、第１の半波整流回路１１４の出力信号がハイレベルとなる期間はタイミングＴ１以降、異常に長くなり、その結果、平滑回路１１０の入力信号、したがって平滑回路１１０の出力信号は、本来タイミングＴ１でローレベルとなるところが、タイミングＴ２までハイレベルを維持してしまう。そのため、平滑回路１１０の出力信号にもとづいて呼び出し信号１０１の継続時間を判定すると、継続時間は実際より長いものとなる。
【０００８】
近年、様々な通信サービスを呼び出し信号の断続時間のパターンに応じて切り替えて提供するという手法が用いられている。たとえば日本電信電話株式会社のグループ会社により提供されているナンバーディスプレイサービスでは最初の呼び出し信号は同サービスに対応する特定の周期で断続的に局から送出され、また、あらかじめ登録した発信者からの着信の場合に呼び出し音の繰り返し周期を変えるサービスでも、呼び出し信号の断続パターンによりサービスを特定するようになっている。
【０００９】
このようなサービスでは、呼び出し信号の断続パターンによりサービスを切り換えるため、呼び出し信号の継続時間を正確に検出する必要がある。しかし、上述のような電圧残りにより呼び出し信号の継続時間を正確に検出できない場合には、呼び出し信号断続時間のパターンを正確に識別できず、したがってサービスを正しく切り換えることが困難となる。
【００１０】
本発明はこのような問題を解決するためになされたもので、その目的は、呼び出し信号の継続時間を正確に検出できる電子交換機局線トランクの呼び出し信号検出回路を提供することにある。
【００１１】
【課題を解決するための手段】
本発明は上記目的を達成するため、対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、前記整流回路の出力信号の波形整形を行って前記平滑回路に供給する波形整形回路を含み、前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、前記波形整形回路は、前記整流回路の出力信号の論理レベルが変化したとき、一定周期のクロック信号の計数を開始するカウンターと、前記カウンターの計数値が基準値に到達したとき到達信号を出力する判定回路と、前記整流回路の出力信号の論理レベルが変化して前記カウンターが計数を開始したとき第１の論理レベルの信号を出力し、その後、前記整流回路の出力信号の論理レベルが元の論理レベルに戻るか、または前記判定回路が前記到達信号を出力したとき第２の論理レベルの信号を出力する出力制御回路とを含んで構成されており、前記波形整形回路は、前記判定回路が到達信号を出力していない場合にクロック信号をカウンターへ供給し、前記判定回路が前記到達信号を出力した場合に前記クロック信号の前記カウンターへの供給を停止するクロック制御回路をさらに含んでいることを特徴とする。
また、本発明は、対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、前記整流回路の出力信号の波形整形を行って前記平滑回路に供給する波形整形回路を含み、前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、前記波形整形回路は、波形整形プログラムにもとづいて動作するマイクロコンピュータと、出力回路とを含んで構成され、波形整形プログラムは、前記整流回路の出力信号の論理レベルが変化した後一定時間が経過したか否かを判定する時間判定ステップと、前記整流回路の出力信号の論理レベルが変化したとき前記出力回路に前記第１の論理レベルの信号を出力させる第１の出力制御ステップと、前記整流回路の出力信号の論理レベルが変化した後、前記整流回路の出力信号の論理レベルが元の論理レベルに戻るか、または前記時間判定ステップで一定時間が経過したと判定したとき、前記出力回路に前記第２の論理レベルの信号を出力させる第２の出力制御ステップとを含むことを特徴とする。
また、本発明は、対向局から到来する呼び出し信号を入力として同信号の絶対値が所定水準を超えた場合に呼び出し信号を整流して２値化する整流回路と、前記整流回路の出力信号を平滑化する平滑回路とを含む呼び出し信号検出回路であって、前記整流回路の出力信号の波形整形を行って前記平滑回路に供給する波形整形回路を含み、前記波形整形回路は、第１または第２の論理レベルをとる２値信号を出力し、前記整流回路の出力信号の論理レベルが変化したとき、自身が出力する信号の論理レベルを第１の論理レベルとし、その後、前記整流回路の出力信号の論理レベルがもとの論理レベルに戻るか、または一定時間が経過したとき、自身が出力する信号の論理レベルを第２の論理レベルとし、前記整流回路は、フォトダイオードおよびフォトトランジスタをそれぞれ含む第１および第２のフォトカプラーから成り、前記第１のフォトカプラーでは前記呼び出し信号が第１の極性のときフォトダイオードに電流が流れてフォトダイオードが発光しフォトトランジスタがオン状態となり、前記第２のフォトカプラーでは前記呼び出し信号が第１の極性と逆極性の第２の極性のときフォトダイオードに電流が流れてフォトダイオードが発光しフォトトランジスタがオン状態となり、前記整流回路は前記第１および第２のフォトカプラーのフォトトランジスタのオン・オフ状態にもとづいて前記整流回路の前記出力信号を生成し前記波形整形回路に出力することを特徴とする。
【００１２】
本発明の呼び出し信号検出回路では、波形整形回路は、整流回路の出力信号の論理レベルが変化したとき、自身が出力する信号の論理レベルを第１の論理レベルとし、その後、整流回路の出力信号の論理レベルがもとの論理レベルに戻るか、または一定時間が経過したとき、自身が出力する信号の論理レベルを第２の論理レベルとする。
したがって、呼び出し信号が実際には停止となっているにもかかわらず、ある時間継続して振幅を維持した場合でも、一定時間が経過したところで波形整形回路の出力信号は第２の論理レベルに戻り、平滑回路の出力信号も呼び出し信号の実際の停止タイミングに近いタイミングで上記第２の論理レベルに対応する信号レベルに復帰する。その結果、呼び出し信号の継続時間を高い精度で検出することが可能となる。
【００１３】
【発明の実施の形態】
次に本発明の実施の形態例について図面を参照して説明する。
図１は本発明による電子交換機局線トランクの呼び出し信号検出回路の一例を示す回路図、図２は図１の呼び出し信号検出回路を構成する波形整形回路の一例を示す回路図、図３は図１の呼び出し信号検出回路の動作を示すタイミングチャート、図４は図２の波形整形回路の動作を示すタイミングチャートである。図１において、図６と同一の要素には同一の符号が付されており、それらに関する詳しい説明はここでは省略する。
【００１４】
図１に示した実施の形態例の呼び出し信号検出回路１が、図６に示した呼び出し信号検出回路と特に異なるのは、第１および第２の半波整流回路１１４、１１６と平滑回路１１０との間に第１および第２の波形整形回路２、４から成る波形整形回路６が設けられている点である。
第１および第２の波形整形回路２、４は、それぞれハイレベルまたはローレベルをとる２値信号を出力し、第１、第２の半波整流回路１１４、１１６の出力信号がハイレベルとなると、自身が出力する信号の論理レベルをそれぞれハイレベルとし、その後、第１、第２の半波整流回路１１４、１１６の出力信号がローレベルに戻るか、または呼び出し信号の半周期より短い一定時間が経過したとき、自身が出力する信号をローレベルとする。
【００１５】
より詳しくは、第１および第２の波形整形回路２、４のそれぞれは図２に示したように、カウンター８（バイナリーカウンター）、判定回路１０、出力制御回路１２、登録回路１４、ならびにクロック制御回路１６を含んで構成されている。
カウンター８のリセット端子１８には第１または第２の波形整形回路１１４、１１６制御回路の出力信号が供給されており、整流回路の出力信号がハイレベルのとき、リセットが解消されて、カウンター８はクロック端子２０に入力された一定周期のクロック信号２２を計数し、計数結果を表す２進数の各ビットの値を判定回路１０に出力する。
【００１６】
判定回路１０にはカウンター８の計数結果と、登録回路１４からの基準値とが供給されており、判定回路１０は、カウンター８の計数値が基準値に到達したとき到達信号を出力する。登録回路１４には上記基準値をあらかじめ登録しておき、登録回路１４は登録された基準値をカウンター８に出力する。
【００１７】
出力制御回路１２は、第１、第２の波形整形回路２、４の出力信号を生成するための回路であり、第１、第２の半波整流回路１１４、１１６の出力信号がハイレベルに変化したときハイレベルの信号を出力し、その後、第１、第２の半波整流回路１１４、１１６の出力信号がローレベルに戻るか、または判定回路１０が到達信号を出力したときローレベルの信号を出力する。第１および第２の波形整形回路２、４の各出力制御回路１２の出力は、図１に示したようにワイヤードオア接続され、平滑回路１０の入力に接続されている。
クロック制御回路１６は、判定回路１０が到達信号を出力していない場合にクロック信号２２をカウンター８へ供給し、判定回路１０が判定回路１０が到達信号を出力した場合にクロック信号２２のカウンター８への供給を停止する。
【００１８】
次にこのように構成された呼び出し信号検出回路の動作について説明する。
第１および第２の波形整形回路２、４の前段および平滑回路１１０の動作は、図６、７を参照して説明した従来の呼び出し信号検出回路の場合と変わらないため、ここではその説明は省略し、新たに設けた波形整形回路６の動作を中心に説明する。
呼び出し信号１０１がタイミングＴ１において出力停止となったにもかかわらず、電圧残りにより呼び出し信号の振幅が、図３に示したように、期間ｔの間、ある値に維持された場合、第１の半波整流回路１１４を構成する第１の半波整流回路１１４の出力信号は本来より長い時間、ハイレベルとなる。その結果、波形整形回路６を設けなかった場合には、平滑回路１１０の入力信号は、図３に点線で示したように、最後のハイレベルの期間は異常に長いものとなってしまう。
【００１９】
しかし、本実施の形態例では、第１および第２の波形整形回路２、４は、第１、第２の半波整流回路１１４、１１６の出力信号がハイレベルとなったとき、ハイレベルの信号を出力し、その後、第１、第２の半波整流回路１１４、１１６の出力信号がローレベルに戻るか、または呼び出し信号の半周期より短い一定時間が経過したときローレベルの信号を出力する。したがって、呼び出し信号が、実際の停止時刻Ｔ１の後も振幅を維持し、第１の半波整流回路１１４の出力信号がタイミングＴ３までハイレベルとなった場合でも、タイミングＴ４におて波形整形回路６の出力信号（平滑回路１１０の入力信号）はローレベルとなり、その結果、平滑回路１１０の出力信号も、ほぼタイミングＴ４においてローレベルとなる。
【００２０】
第１および第２の波形整形回路２、４の動作について、図４を参照してさらに詳しく説明する。なお、第１および第２の波形整形回路の動作は基本的に同一であるため、ここでは第１の波形整形回路を例に動作を説明する。
図４に示したように、第１の半波整流回路１１４の出力信号がローレベルであるタイミングＴ０までの期間では、カウンター８はリセット状態にあり、したがってカウント動作は行わない。タイミングＴ０で第１の半波整流回路１１４の出力信号がハイレベルになると、カウンター８はクロック信号２２の計数動作を開始する。なお、カウンター８がリセット状態のときは計数値は零であり基準値に一致しないので、判定回路１０は到達信号を出力しておらず判定回路１０の出力はローレベルである。したがってクロック制御回路１６はクロック信号２２をカウンター８に供給する状態となっている。
【００２１】
また、タイミングＴ０で第１の半波整流回路１１４の出力信号がハイレベルになると、出力制御回路１２は自身の出力信号をハイレベルに変化させ、したがって波形整形回路６の出力信号はハイレベルとなる。
タイミングＴ０の後、タイミングＴ１（図３参照）において呼び出し信号は送り側で送出停止となるが、上述のように呼び出し信号の振幅は直ぐには零にならず、その結果、第１の半波整流回路１１４の出力信号はタイミングＴ３までハイレベルとなる。
【００２２】
カウンター８はこの間、計数動作を行い、計数結果を表す２進数の各ビットの値を各ビット線２４、２５などを通じて判定回路１０に出力する。そして、計数値がタイミングＴ５で基準値に到達すると、判定回路１０は到達信号としてハイレベルの信号を出力する。これにより出力制御回路１２はその出力信号をローレベルに変化させる。また、判定回路１０が到達信号を出力したことからクロック制御回路１６はクロック信号２２のカウンター８への供給を停止し、したがってカウンター８はカウント動作を停止する。その結果、カウンター８は基準値に一致する計数値をそのまま保持し、判定回路１０も、タイミングＴ３まで到達信号を継続して出力する。
【００２３】
その後、タイミングＴ３で第１の半波整流回路１１４の出力信号がローレベルになると、カウンター８はリセットされ、判定回路１０も到達信号の出力を停止する。なお、これによりクロック信号２２がカウンター８に再び供給されることになるが、カウンター８はリセットされているため、カウント動作は行わない。
【００２４】
このように本実施の形態例の呼び出し信号検出回路１では、呼び出し信号検出回路１に供給される呼び出し信号１０１が実際には停止となっているにもかかわらず異常に長い時間継続してある振幅を維持した場合でも、一定時間が経過しカウンター８の計数値が基準値に到達したところで第１、第２の波形整形回路２、４の出力信号はローレベルに戻る。したがって、平滑回路１１０の出力信号も呼び出し信号１０１の本来の停止タイミングに近いタイミングＴ５でローレベルとなり、呼び出し信号の継続時間を高い精度で検出することが可能となる。
その結果、通信サービスを呼び出し信号の断続時間のパターンに応じて切り替えて提供する場合、呼び出し信号断続時間のパターンを正確に特定することができ、種々のサービスを確実に実行することが可能となる。
【００２５】
なお、ここでは、第１の半波整流回路１１４の出力信号が、呼び出し信号停止時に本来の時間より長くハイレベルを維持した場合を例に説明したが、呼び出し信号停止のタイミングによっては、第２の半波整流回路１１６の出力信号が異常に長くハイレベルを維持する場合もある。その場合には、第２の波形整形回路４が第１の波形整形回路２と同様に動作し、実際の呼び出し信号の継続時間に近い時間、ハイレベルを継続する波形整形信号が平滑回路１１０に供給され、呼び出し信号の継続時間を正しく検出することが可能となる。
【００２６】
本実施の形態例では、波形整形回路６を電子回路により構成するとしたが、第１および第２の波形制御回路をそれぞれ、たとえば不図示のマイクロコンピュータと出力回路とにより構成し、出力制御回路１２に相当する出力回路を、上述のように判定回路１０によって制御する代わりに、マイクロコンピュータにより制御することも可能である。その場合には、たとえば、上記マイクロコンピュータを構成するＲＯＭ（リードオンリメモリー）に波形整形プログラムを格納し、マイクロコンピュータを構成するＣＰＵを同プログラムにもとづいて動作させることで、上記波形制御回路と同様の機能を実現できる。
【００２７】
図５は上記波形整形プログラムにもとづく処理手順を示すフローチャートである。なお、第１および第２の波形整形回路は同一の構成であるため、ここでは第１の波形整形回路の場合を例に説明する。
マイクロコンピュータには第１の半波整流回路１１４の出力信号を入力して同信号を監視し、図５に示したように、第１の半波整流回路１１４の出力信号がハイレベルになると（ステップＳ１でＹｅｓ）、ソフトウェアによるタイマをスタートさせるとともに（ステップＳ２）、出力回路にハイレベルの信号を出力させる（ステップＳ３）。そして波形整形回路１１４の出力信号がハイレベルを継続しているか否かを判定し（ステップＳ４）、判定結果が正なら（ステップＳ４でＹｅｓ）、ソフトウェアタイマがタイムアップしたか否かを判定する（ステップＳ５）。この判定結果が否の場合はステップＳ４に戻ってステップＳ４、Ｓ５を繰り返し、判定結果が正となったところでステップＳ６に進み、ソフトウェアタイマを停止させるとともに出力回路に、その出力信号をローレベルに切り換えさせる（ステップＳ７）。
【００２８】
一方、ステップＳ３における判定結果が否の場合は、第１の半波整流回路１１４の出力信号は正常であって、タイマがタイムアップする前に第１の半波整流回路１１４の出力信号がローレベルに戻ったことになり、そのタイミングでタイマを停止させ（ステップＳ８）、また出力回路の出力信号をローレベルに切り換えさせる（ステップＳ７）。
【００２９】
なお、上記ステップＳ２、Ｓ５は本発明に係わる時間判定ステップを構成し、上記ステップＳ１、Ｓ３は本発明に係わる第１の出力制御ステップを、ステップＳ４、Ｓ７、Ｓ８は本発明に係わる第２の出力制御ステップを構成している。
【００３０】
上記実施の形態例の呼び出し信号検出回路１では、第１および第２の半波整流回路１１４、１１６に対して、個別に第１および第２の波形整形回路２、４を設ける構成としたが、整流回路１０８に対して、たとえば図２に示したような構成の波形整形回路を１回路設けて同様の作用効果を実現することも可能である。その場合には、たとえば第１および第２の半波整流回路１１４、１１６の出力をワイヤードオア接続した後、図２の波形整流回路に供給すればよい。
【００３１】
【実施例】
第１、第２の半波整流回路１１４、１１６の出力信号がハイレベルとなった後、判定回路１０が到達信号を出力するまでの時間は、クロック信号周期と、登録回路１４が判定回路１０に供給する基準値とにより決まる。
日本国内の場合、公衆網から端末へ送られる呼び出し信号の周波数は１５Ｈｚ以上２０Ｈｚ以下となっている。このため第１および第２の半波整流回路１１４、１１６の出力信号がハイレベルとなる期間は３４ｍｓを越えることはない。
したがって、カウンター８に供給するクロック信号２２の周期を一例として４ｍｓとすると、登録回路１４に登録する基準値は一例として９に設定すれば、カウンター８が９クロックを計数したところで判定回路１０は到達信号を出力するので、呼び出し信号停止後、振幅が速やかに零に戻らなかった場合でも、波形整形回路６の出力信号がハイレベルとなる期間は最大で３６ｍｓに制限することができる。
【００３２】
【発明の効果】
以上説明したように本発明の呼び出し信号検出回路では、波形整形回路は、整流回路の出力信号の論理レベルが変化したとき、自身が出力する信号の論理レベルを第１の論理レベルとし、その後、整流回路の出力信号の論理レベルがもとの論理レベルに戻るか、または一定時間が経過したとき、自身が出力する信号の論理レベルを第２の論理レベルとする。
したがって、呼び出し信号が実際には停止となっているにもかかわらず、ある時間継続して振幅を維持した場合でも、一定時間が経過したところで波形整形回路の出力信号は第２の論理レベルに戻り、平滑回路の出力信号も呼び出し信号の実際の停止タイミングに近いタイミングで上記第２の論理レベルに対応する信号レベルに復帰する。その結果、呼び出し信号の継続時間を高い精度で検出することが可能となる。
これにより、たとえば通信サービスを呼び出し信号の断続時間のパターンに応じて切り替えて提供する場合、呼び出し信号断続時間のパターンを正確に特定することができ、種々のサービスを確実に実行することが可能となる。
【図面の簡単な説明】
【図１】本発明による電子交換機局線トランクの呼び出し信号検出回路の一例を示す回路図である。
【図２】図１の呼び出し信号検出回路を構成する波形整形回路の一例を示す回路図である。
【図３】図１の呼び出し信号検出回路の動作を示すタイミングチャートである。
【図４】図２の波形整形回路の動作を示すタイミングチャートである。
【図５】波形整形プログラムにもとづく処理手順を示すフローチャートである。
【図６】従来の呼び出し信号検出回路の一例を示す回路図である。
【図７】図６の呼び出し信号検出回路の動作を示すタイミングチャートである。
【符号の説明】
１……呼び出し信号検出回路、２……第１の波形整形回路、４……第２の波形整形回路、６……波形整形回路、８……カウンター、１０……判定回路、１２……出力制御回路、１４……登録回路、１６……クロック制御回路、１８……リセット端子、２０……クロック端子、２２……クロック信号、２４……ビット線、１００……呼び出し信号検出回路、１０２……コンデンサー、１０４……抵抗、１０６……ツェナーダイオード、１０８……整流回路、１１０……平滑回路、１１２……制御回路、１１４……第１の半波整流回路、１１６……第２の半波整流回路、１１８……第１のフォトカプラー、１２０……第２のフォトカプラー、１２２……フォトダイオード、１２４……フォトトランジスタ。
【図１】
0003880306.tif 000002
【図２】
0003880306.tif 000003
【図３】
0003880306.tif 000004
【図４】
0003880306.tif 000005
【図５】
0003880306.tif 000006
【図６】
0003880306.tif 000007
【図７】
0003880306.tif 000008